(57)【特許請求の範囲】
【請求項１】
肌当接面側に配置された肌側シート、非肌当接面側に配置された非肌側シート、及びこれら両シート間に位置する、吸収性物品の前後方向に長い形状の吸収性コアを備え、着用者の液排泄部に対向配置される排泄部対向部、該排泄部対向部より前方に配される前方部、及び該排泄部対向部より後方に配される後方部を有する吸収性物品であって、
前記吸収性コアは、前記排泄部対向部に、周囲を囲む部分よりも厚みが厚い排泄部中高領域を有し、
前記排泄部中高領域は、前記吸収性コアの長手方向に長い形状を有し、その最大幅が該吸収性コアの幅の１／２以上であり、
前記吸収性物品は、前記排泄部対向部における前記排泄部中高領域を挟む両側に一対の立体ガードを備えており、
前記立体ガードは、立体ガード形成用シートが前記肌側シートに固定された固定端と、自由端とを有し、該固定端より該自由端側が、着用者の肌側へ起立するようになされており、
前記吸収性コアの幅方向における前記排泄部中高領域の側端縁と前記固定端との間に、該吸収性コアの長手方向に延びる、他の領域より幅方向の曲げ剛性の低い側方低剛性領域が形成されており、
前記排泄部中高領域は、前記吸収性コアの長手方向に長い形状の中央肉厚部と、該中央肉厚部の、前記前方部寄りの領域における両側縁及び前記後方部寄りの領域における両側縁のそれぞれよりも幅方向の外方に延出した側方肉厚部とを有しており、前記側方低剛性領域が、該側方肉厚部の側端縁と前記固定端との間に位置している、吸収性物品。
【請求項２】
前記側方低剛性領域が、前記側方肉厚部の全長に亘るように形成されている、請求項１に記載の吸収性物品。
【請求項３】
前記側方低剛性領域が、凹溝である側方縦溝部を有する、請求項１又は２に記載の吸収性物品。
【請求項４】
前記排泄部中高領域に前記吸収性コアの長手方向に延びる中央低坪量部が形成されており、該中央低坪量部及び前記側方低剛性領域が、該吸収性コアの肌当接面側の面に形成されている、請求項１〜３の何れか１項に記載の吸収性物品。
【請求項５】
前記立体ガードは、前記吸収性物品の幅方向の外方に向かって折り返された折り返し部を有し、該折り返し部の直下において前記肌側シートに接合されていない、請求項１〜４の何れか１項に記載の吸収性物品。
【請求項６】
前記排泄部対向部に一対のウイング部を有し、前記立体ガード形成用シートは、前記ウイング部に延出して該ウイング部の片面を形成している、請求項１〜５の何れか１項に記載の吸収性物品。
【請求項７】
前記肌側シート及び前記吸収性コアが前記非肌側シート側に向かって一体的に凹陥してなる圧搾溝が形成されており、該圧搾溝が、前記側方低剛性領域と重なっていない、請求項１〜６の何れか１項に記載の吸収性物品。
【発明の詳細な説明】
【技術分野】
【０００１】
本発明は、生理用ナプキン、失禁パッド等の吸収性物品に関する。
【背景技術】
【０００２】
従来、生理用ナプキン等の吸収性物品においては、着用者の液排泄部に対向配置される排泄部対向部の両側部に、着用者の肌側に向かって起立する立体ガードを設けることによって、液の側方への漏れを防止することが広く行われている（特許文献１〜３参照）。
また、就寝時の使用に適した夜用の生理用ナプキンのように、着用者の前後方向に沿う長手方向の長さが長い吸収性物品においては、着用者の肌との間に隙間があると、就寝姿勢において、液が肌の表面を伝って臀部に流れてしまい、液漏れにつながる場合があった。
そのため、吸収性物品の吸収性コアに部分的に厚みの厚い肉厚部を形成して、肌当接面に隆起部を形成させることによって、身体に対するフィット性を高める技術が知られている（特許文献４参照）。
【先行技術文献】
【特許文献】
【０００３】
【特許文献１】特開２００２−３６０６２９号公報
【特許文献２】特開２００３−２１０５２５号公報
【特許文献３】特開２００７−１４３６９７号公報
【特許文献４】特開２００６−２３９１６２号公報
【発明の概要】
【発明が解決しようとする課題】
【０００４】
しかし、本発明者らは、立体ガードを形成した吸収性物品における吸収性コアに、吸収体の坪量を部分的に高めて隆起部を形成した場合、特に、吸収性能を向上させるために、吸収性コアに、吸収性コアの長手方向に長く、幅広の排泄部中高領域を設けた場合には、吸収性コアの剛性が高くなり、吸収性物品の着用中や装着の際に、体への追従性が損なわれたり、ヨレが発生したり、さらに、吸収性物品にヨレが発生することで、立体ガードが、吸収性物品の幅方向中央側に倒れやすくなることを知見した。立体ガードが、幅方向中央側に倒れると、立体ガードの漏れ防止機能が充分に発現されない恐れがある。
したがって本発明の課題は、前述した従来技術が有する欠点を解消し得る吸収性物品を提供することにある。
【課題を解決するための手段】
【０００５】
本発明は、肌当接面側に配置された肌側シート、非肌当接面側に配置された非肌側シート、及びこれら両シート間に位置する、吸収性物品の前後方向に長い形状の吸収性コアを備え、着用者の液排泄部に対向配置される排泄部対向部及び該排泄部対向部より後方に配される後方部を有する吸収性物品であって、前記吸収性コアは、前記排泄部対向部に、周囲を囲む部分よりも厚みが厚い排泄部中高領域を有し、前記排泄部中高領域は、前記吸収性コアの長手方向に長い形状を有し、その最大幅が該吸収性コアの幅の１／２以上であり、前記吸収性物品は、前記排泄部対向部における前記排泄部中高領域を挟む両側に一対の立体ガードを備えており、前記立体ガードは、立体ガード形成用シートが前記肌側シートに固定された固定端と、自由端とを有し、該固定端より該自由端側が、着用者の肌側へ起立するようになされており、前記吸収性コアの幅方向における前記排泄部中高領域の側端縁と前記固定端との間に、該吸収性コアの長手方向に延びる、他の領域より幅方向の曲げ剛性の低い側方低剛性領域が形成されている、吸収性物品を提供するものである。
【発明の効果】
【０００６】
本発明の吸収性物品によれば、長手方向に長く、幅広の排泄部中高領域を有し、十分な吸収性能が発現されるとともに、吸収性物品がヨレにくく、立体ガードが吸収性物品の幅方向中央側に倒れにくく横漏れ防止性に優れる。
【図面の簡単な説明】
【０００７】
【図１】図１は、本発明の第１実施形態である生理用ナプキンを示す斜視図である。
【図２】図２は、図１の生理用ナプキンの吸収性コアを示す斜視図である。
【図３】図３は、図１のＩＩＩ−ＩＩＩ線断面図である。
【図４】図４は、図１のＩＶ−ＩＶ線断面図である。
【図５】図５は、図１の生理用ナプキンの吸収性コアを肌当接面側から視た平面図である。
【図６】図６は、図５に示す吸収性コアの一部を拡大して示す拡大平面図である。
【図７】図７は、図１に示す生理用ナプキンの着用状態における変形状態を示す模式断面図である。
【図８】図８（ａ）及び図８（ｂ）は、図１に示す生理用ナプキンの吸収性コアの製造に好ましく使用される積繊ドラムの周方向に沿う断面を示す模式図であり、図８（ａ）は、集積用凹部に、吸収性コアの形成材料が堆積する前の状態、図８（ｂ）は、集積用凹部に、吸収性コアの形成材料が堆積した状態を示す図である。
【図９】図９は、第２実施形態の生理用ナプキンの吸収性コアの図６相当図である。
【図１０】図１０（ａ）〜図１０（ｆ）は、本発明の他の実施形態における吸収性コアを示す平面図である。
【発明を実施するための形態】
【０００８】
以下本発明を、その好ましい実施形態に基づき図面を参照しながら説明する。
本発明の第１実施形態である生理用ナプキン１（以下、単にナプキン１ともいう）は、図１に示すように、ナプキン１の前後方向Ｘに長い形状の吸収性本体６と、一対のウイング部７，７と、一対の後方フラップ部８，８とを有している。生理用ナプキン等の吸収性物品に関し、「前後方向」とは、着用時に着用者の前後方向と一致する方向である。
ナプキン１は、その前後方向Ｘに、前方部Ａ、排泄部対向部Ｂ及び後方部Ｃを有しており、排泄部対向部Ｂにおける吸収性本体６の左右両側に一対のウイング部７，７、後方部Ｃにおける吸収性本体６の左右両側に一対の後方フラップ部８，８を有していて、いわゆる夜用として好ましく使用されるナプキンである。夜用ナプキンとは、就寝時に使用されることを想定しており、全長が３０ｃｍ以上であることが好ましい。
【０００９】
本発明の吸収性物品において、排泄部対向部Ｂは、幅方向の中央部に、着用者の液排泄部（膣口等）が対向配置される部分であり、前方部Ａは、排泄部対向部Ｂより着用者の前側（腹側）に配される部分であり、後方部Ｃは、排泄部対向部Ｂより着用者の背中側に配される部分である。排泄部対向部Ｂは、本実施形態のナプキン１のようにウイング部を有する場合には、吸収性物品の前後方向（吸収性本体の長手方向に同じ。図中のＸ方向）においてウイング部を有する領域（ウイング部の前後方向一方側の付け根と他方側の付け根とに挟まれた領域）である。ウイング部を有しない吸収性物品における排泄部対向部Ｂは、吸収性物品が３つ折りの個装形態に折り畳まれた際に生じる、該吸収性物品を横方向（吸収性物品の幅方向、図中のＹ方向）に横断する２本の折曲線（図示せず）について、該吸収性物品の縦方向の前端から数えて第１折曲線と第２折曲線とに囲まれた領域である。また、本明細書において、肌当接面は、吸収性物品又はその構成部材における着用時に着用者の肌側に向けられる面であり、非肌当接面は、吸収性物品又はその構成部材における着用時に着用者の肌側とは反対側（衣類側）に向けられる面である。
【００１０】
ナプキン１は、図３又は図４に示すように、肌当接面側に配置された肌側シート２、非肌当接面側に配置された非肌側シート３、及びこれら両シート２，３間に配置された吸収性コア４を備えている。肌当接面側に配置された肌側シート２は、吸収性本体６の幅方向の中央部に、吸収性本体６の全長に亘るように配されている。また、ナプキン１は、排泄部対向部Ｂに、一対の立体ガード１０を備えている。立体ガード１０は、立体ガード形成用シート２０及びこれに固定された弾性部材２４を有している。弾性部材２４は、糸状弾性部材などが用いられる。
【００１１】
立体ガード形成用シート２０は、吸収性本体６の幅方向中央側に位置し外方に向かって折り返された折り返し部２１を有し、該折り返し部２１よりも幅方向Ｙの外方に位置する部位において接着剤９等の接合手段により肌側シート２上に接合されている。これにより、立体ガード１０の立ち上がり基端となる立体ガード１０の固定端２２が形成されている。立体ガード１０の固定端２２は、前方部Ａの一部から排泄部対向部Ｂを経て後方部Ｃの一部に亘る範囲に亘って、吸収性本体６の長手方向に延在している。図６中の一点鎖線２２は、立体ガード１０の固定端２２の位置を示している。
【００１２】
立体ガード１０は、固定端２２より自由端２３側が、着用時に着用者の肌側へ起立するようになされている。より具体的には、立体ガード形成用シート２０は、立体ガード１０の自由端２３を形成する内側縁の近傍に立体ガード形成用の弾性部材２４を有しており、着用時には、その弾性部材２４の収縮力により、排泄部対向部Ｂにおける、固定端２２から自由端２３までの間が着用者の肌側に向かって起立して立体ガード１０を形成する。立体ガード１０は、少なくとも、後述する排泄部中高領域４０の存在領域において起立可能となっている。また、本実施形態のナプキン１では、前方部Ａの一部及び後方部Ｃの大部分においては、立体ガード形成用シート２０が肌側シート２側に固定されて起立しない非起立部分となっている。
【００１３】
一対のウイング部７，７及び一対の後方フラップ部８，８は、吸収性コア４の両側縁から延出した立体ガード形成用シート２０及び非肌側シート３からなる。一対のウイング部７それぞれの非肌側シート３からなる面には、ショーツのクロッチ部の非肌当接面に固定するためのウイング部粘着部７１が設けられ、吸収性本体６の非肌当接面には、該本体６をショーツの内面に固定するための本体粘着部（図示せず）が設けられている。後方フラップ部８は、着用時に、ショーツの内面（肌側に向けられる面）上に配される。後方フラップ部８の非肌側シート３からなる面にも、ショーツの内面に固定するための粘着部が設けられていることが好ましい。肌側シート２と非肌側シート３とは、吸収性コア４の周縁部より外方が接着剤で互いに接合されていると共にナプキン１の周縁部において熱シールにより接合されている。
【００１４】
ナプキン１における吸収性コア４は、パルプ繊維等の繊維材料からなる繊維集合体又は該繊維集合体に高吸水性ポリマーを保持させたものからなる。吸収性コア４は、上下両面を、ティッシュペーパーや透水性の不織布からなるコアラップシート（図示せず）によって被覆されている。コアラップシートは、吸収性コアの形成材料の漏れ出しを防止したり、吸収性コアの保形性を高める目的で使用される。肌側シート２と、吸収性コア４の肌当接面側を被覆するコアラップシートとの間、及び非肌側シート３と吸収性コア４の非肌当接面側を被覆するコアラップシートとの間は、ドット、スパイラル、ストライプ等のパターン塗工された接着剤により互いに接合されていることが好ましい。
【００１５】
図２に示すように、ナプキン１における吸収性コア４は、ナプキン１の前後方向Ｘと同方向に長い形状を有する。したがって、吸収性コア４の長手方向は、ナプキン１の前後方向Ｘと同方向であり、吸収性コア４の横方向は、ナプキン１の幅方向Ｙと同方向である。なお、吸収性コア４は、図５に示すように、長手方向Ｘに延びる一対の側縁４ｓ、４ｓと、円弧状の前端縁４ａ及び後端縁４ｃを有する。
また、図２に示すように、吸収性コア４は、排泄部対向部Ｂにおける幅方向Ｙの中央部に排泄部中高領域４０を有し、後方部Ｃにおける幅方向Ｙの中央部に後方中高領域５０を有している。排泄部中高領域４０は、その周囲を囲む部分４３よりも厚みが厚く、後方中高領域５０も同様に、その周囲を込む部分４３よりも厚みが厚い。
【００１６】
そして、ナプキン１においては、肌側シート２の下に、排泄部中高領域４０の中央肉厚部４１が存在することによって、排泄部対向部Ｂにおける肌当接面の幅方向中央部に、着用者の肌側に向かって突出する前方隆起部１１が形成されており、また、肌側シート２の下に、後方中高領域５０が存在することによって、後方部Ｃにおける肌当接面の幅方向中央部に、着用者の肌側に向かって突出する後方隆起部１２が形成されている。後方隆起部１２は、ナプキン１の着用時に着用者の臀裂に対向配置されることが好ましい。
【００１７】
また、ナプキン１における排泄部中高領域４０は、図２及び図５に示すように、吸収性コアの長手方向Ｘに長い縦長の平面視形状を有する。また、ナプキン１における排泄部中高領域４０は、その最大幅Ｗ４０が、吸収性コア４の幅Ｗ４の１／２以上、より好ましくは５／８以上であり、更に好ましくは３／４以上であり、また排泄部中高領域４０の最大幅Ｗ４０は、吸収性コア４の幅Ｗ４の７／８以下であることが好ましい（図６参照）。
排泄部中高領域４０の最大幅Ｗ４０は、排泄部中高領域４０の、吸収性コア４の幅方向Ｙに沿う長さである幅が最大となる部位における該幅である。排泄部中高領域４０の最大幅Ｗ４０と対比する吸収性コア４の幅は、排泄部中高領域４０の幅が最大幅Ｗ４０となる部位における吸収性コア４の幅である。排泄部中高領域４０は、図５に示すように、排泄部対向部Ｂに、幅が最大となる部位Ｇを有することが好ましい。
【００１８】
排泄部中高領域４０が、吸収性コア４の長手方向に長く、幅広であると、排泄部対向部Ｂにおける液の吸収力及び液の吸収速度が高まり、液漏れの防止となる。同様の観点から、排泄部中高領域４０は、前記吸収性コアの長手方向に長い平面視形状を有する中央肉厚部４１と、中央肉厚部４１の、前方部Ａ寄りの領域における両側縁及び後方部Ｃ寄りの領域における両側縁のそれぞれよりも幅方向Ｙの外方に延出した側方肉厚部４２，４２とを有することが更に好ましい。中央肉厚部４１の位置に側方肉厚部４２を有することで、排泄部の吸収力および吸収速度が一層高まり、液漏れ防止効果がより向上する。
【００１９】
また、吸収性コア４における中央肉厚部４１と側方肉厚部４２，４２との間には、中央肉厚部４１及び側方肉厚部４２，４２の何れの坪量（コア材料の坪量）よりも坪量が低い低坪量部が設けられ、該低密度部には、縦溝部４９が形成されている。縦溝部４９の存在により、排泄部中高領域４０は、液の吸収性が向上するとともに、ナプキン１の体への追従性が高まることで、一層、液漏れが発生し難くなる。中央肉厚部４１は、図１に示すように、吸収性コア４の長手方向Ｘに延びる直線状の側端縁４１ｓ，４１ｓを有しており、また、中央肉厚部４１の前端縁４１ａ及び後端縁４１ｃは、前方及び後方に向かって幅方向Ｙの長さが漸減する形状となっている。より具体的には、中央肉厚部４１は、円弧状の前端縁４１ａ及び後端縁４１ｃを有し、全体として、長手方向Ｘに長軸を有する長円状の平面視形状を有している。
【００２０】
排泄部中高領域４０や中央肉厚部４１は、ナプキン１の排泄部対向部Ｂのみに形成されていても良いが、図２に示す本実施形態のナプキン１のように、排泄部対向部Ｂから後方部Ｃの一部に亘って延在していることが、吸収量向上、後漏れ防止の点などより好ましい。また、排泄部中高領域４０や中央肉厚部４１は、排泄部対向部Ｂから後方部Ｃの一部に延在するとともに前方部Ａの一部に延在していても良い。
【００２１】
本実施形態における中央肉厚部４１は、吸収性コア４の幅方向に延びる中央横溝部４４及び吸収性コア４の長手方向に延びる中央縦溝部４６によって分割されており、それによって、中央肉厚部４１には、複数の小吸収部４５が形成されている。
本実施形態における中央肉厚部４１においては、吸収性コア４の長手方向Ｘに沿って小吸収部４５が５個並んでおり、吸収性コア４の幅方向Ｙに沿って小吸収部４５が２個並んでおり、合計１０個の小吸収部４５が形成されている。
本実施形態の吸収性コア４においては、排泄部中高領域４０及び後方中高領域５０以外の部分が、厚みが均一な標準吸収領域４３となっている。本実施形態における標準吸収領域４３は、排泄部中高領域４０より前方、排泄部中高領域４０を挟む側部部分、排泄部中高領域４０と後方中高領域５０との間の中間領域６０、後方中高領域５０を挟む吸収性コアの側部部分、及び後方中高領域５０より後方に分布している。
【００２２】
排泄部中高領域４０の厚みは、溝部（中央横溝部４４，中央縦溝部４６，中央横溝部４７，縦溝部４９）以外の部分の厚みであり、例えば、中央肉厚部４１の厚みは、小吸収部４５の厚みと同じである。本実施形態における吸収性コア４は、図２に示すように、標準吸収領域４３にも、吸収性コア４の幅方向Ｙに延びる横溝部４３ａ及び吸収性コア４の長手方向Ｘに延びる縦溝部４３ｂが形成されているが、排泄部中高領域４０や後方中高領域５０の厚みと対比する標準吸収領域４３の厚みは、横溝部４３ａ，縦溝部４３ｂ、後述する側方縦溝部５等の溝部が存在しない部分における厚みである。
また、後述する圧搾溝１３のように、肌側シート２から吸収性コア４に至る防漏溝が設けられている場合、標準吸収領域４３、中高領域（排泄部中高領域４０，後方中高領域５０）、中間領域６０等の、吸収性コアの各部の厚みを測定する際には、そのような防漏溝部分を含まないように測定する。
【００２３】
中央肉厚部４１の厚みは、ナプキン１の肌当接面に、肌に向かって突出する前方隆起部１１を形成して排泄部対向部Ｂにおける排泄部への密着性や、液の保持量等の吸収性を向上させる観点等から、標準吸収領域４３の厚みの、好ましくは１５０％（１．５倍）以上、より好ましくは２００％以上であり、また、好ましくは５００％以下、より好ましくは３００％以下であり、また、着用時における違和感を抑える観点から、標準吸収領域４３の厚みの、好ましくは１５０％以上５００％以下、より好ましくは２００％以上３００％以下である。
また、中央肉厚部４１の厚みと標準吸収領域４３との厚みの差（前者−後者）は、好ましくは２ｍｍ以上、より好ましくは３．５ｍｍ以上であり、また、好ましくは８ｍｍ以下、より好ましくは６ｍｍ以下であり、また、好ましくは３ｍｍ以上８ｍｍ以下、より好ましくは３．５ｍｍ以上６ｍｍ以下である。このような好ましい厚み比や厚みの差は、後方中高領域５０の厚みと標準吸収領域４３の厚みについても同様である。
なお、中央肉厚部４１の全範囲において上記厚みの関係になっていることが好ましいが、中央肉厚部４１の厚みに傾斜が設けられているような場合においては、最も厚い部分において上記の関係となっていればよい。
【００２４】
吸収性コアの各部の厚みは下記方法によって測定される。なお、本実施形態のナプキン１のように、吸収性コアがコアラップシートで被覆されている場合、吸収性コアの各部の厚みは、該吸収性コアがコアラップシートに包まれている状態で測定する。
＜吸収性コアの各部の厚みの測定方法＞
測定対象物である吸収性コアを水平な場所にシワや折れ曲がりがないように静置し、５ｃＮ／ｃｍ2の荷重下での厚みを測定する。本発明における厚みの測定には、厚み計 PEACOCK DIAL UPRIGHT GAUGES R5-C(OZAKI MFG.CO.LTD.製）を用いた。このとき、厚み計の先端部と測定対象物における測定部分との間に、平面視円形状又は正方形状のプレート（厚さ５ｍｍ程度のアクリル板）を配置して、荷重が５ｃＮ／ｃｍ2となるようにプレートの大きさを調整する。
【００２５】
側方肉厚部４２，４２も、中央肉厚部４１と同様に、標準吸収領域４３における厚みよりも厚みが厚い。本実施形態においては、側方肉厚部４２，４２のそれぞれにも、図２に示すように、吸収性コア４の幅方向に延びる中央横溝部４７が形成されており、それによって、側方肉厚部４２，４２のそれぞれに、複数の小吸収部４８が形成されている。
【００２６】
側方肉厚部４２の厚みは標準吸収領域４３の厚みの、好ましくは１２０％以上、より好ましくは１５０％以上であり、また、好ましくは２００％以下、より好ましくは１８０％以下であり、また、好ましくは１２０％以上２００％以下、より好ましくは１５０％以上１８０％以下である。また、側方肉厚部４２の厚みと標準吸収領域４３との厚みの差（前者−後者）は、好ましくは２．４ｍｍ以上、より好ましくは４ｍｍ以上であり、また、好ましくは７．２ｍｍ以下、より好ましくは６．４ｍｍ以下であり、また、好ましくは２．４ｍｍ以上７．２ｍｍ以下、より好ましくは４ｍｍ以上６．４ｍｍ以下である。側方肉厚部４２に、前述した横溝部４７や後述する圧搾溝１３（圧搾縦溝１４等）を有する場合の側方肉厚部４２の厚みは、それらの溝部や圧搾溝以外の部分の厚みを意味し、側方肉厚部４２の厚みと対比する標準吸収領域４３の厚みは、横溝部４３ａ，縦溝部４３ｂ、後述する側方縦溝部５等の溝部が存在しない部分における厚みである。
【００２７】
後方中高領域５０も、中央肉厚部４１と同様に、標準吸収領域４３における厚みよりも厚みが厚い。本実施形態においては、後方中高領域５０にも、図２に示すように、吸収性コア４の幅方向に延びる後方横溝部５１が形成されており、それによって、後方中高領域５０に、複数の小吸収部５２，５２が形成されている。
【００２８】
後方中高領域５０の厚みは、ナプキン１の肌当接面に、肌に向かって突出する後方隆起部を形成して、身体（好ましくは臀裂）に対するフィット性を向上させる観点等から、吸収性コア４の標準吸収領域４３の厚みの、好ましくは１３０％以上、より好ましくは１８０％以上であり、また、好ましくは３００％以下、より好ましくは２３０％以下であり、また、好ましくは１３０％以上３００％以下、より好ましくは１８０％以上２３０％以下である。また、後方中高領域５０の厚みと標準吸収領域４３の厚みの差（前者−後者）は、好ましくは０．９ｍｍ以上、より好ましくは２．７ｍｍ以上であり、また、好ましくは４．７ｍｍ以下、より好ましくは４．０ｍｍ以下であり、また、好ましくは０．９ｍｍ以上４．７ｍｍ以下、より好ましくは２．７ｍｍ以上４．０ｍｍ以下である。
【００２９】
後方中高領域５０に、前述した後方横溝部５１や後述する圧搾溝１３等を有する場合の後方中高領域５０の厚みは、それらの溝部や圧搾溝以外の部分の厚みを意味し、後方中高領域５０の厚みと対比する標準吸収領域４３の厚みは、横溝部４３ａ，縦溝部４３ｂ、後述する側方縦溝部５等の溝部が存在しない部分における厚みである。
【００３０】
本実施形態における排泄部中高領域４０及び後方中高領域５０は、それぞれ、標準吸収領域４３よりも、吸収性コアの形成材料（以下「コア材料」ともいう）の坪量を増やして形成されている。即ち、排泄部中高領域４０における溝部（中央横溝部４４，中央縦溝部４６，中央横溝部４７，縦溝部４９）以外の部分、及び後方中高領域５０の溝部（後方横溝部５１）以外の部分は、コア材料の坪量が、標準吸収領域４３における坪量よりも大きい。本実施形態における吸収性コア４は、中高領域（排泄部中高領域４０及び後方中高領域５０）とそのそれぞれを囲む部分との間に、コア材料の坪量に差を設けることによって厚み差を設けてあるため、坪量の均一な吸収性コアの一部を圧縮して厚み差を設ける場合とは異なり、吸収性コア４が全体として柔軟である。
【００３１】
また、排泄部中高領域４０における溝部（中央横溝部４４，中央縦溝部４６，中央横溝部４７及び縦溝部４９）を形成している部分は、排泄部中高領域４０における高坪量部である他の部分（小吸収部４５や小吸収部４８）に比して、コア材料の坪量が相対的に低い低坪量部となっている。中央縦溝部４６は、排泄部中高領域４０に形成された中央低坪量部である。
同様に、後方中高領域５０における溝部（後方横溝部５１）を形成している部分は、後方中高領域５０における高坪量部である他の部分（小吸収部５２）に比して、コア材料の坪量が相対的に低い低坪量部となっている。
【００３２】
ナプキン１においては、図２に示すように、吸収性コア４における排泄部中高領域４０と後方中高領域５０との間に、吸収性コア４の幅方向Ｙの全域に亘って、厚みが、排泄部中高領域４０及び後方中高領域５０の厚みより薄い中間領域６０が形成されている。
【００３３】
本実施形態における吸収性コア４には、図４及び図６に示すように、その幅方向Ｙにおける、排泄部中高領域４０の側端縁と立体ガード１０の固定端２２との間、より具体的には、排泄部中高領域４０の側方肉厚部４２の側端縁４２ｓと立体ガード１０の固定端２２との間に、吸収性コア４の長手方向Ｘに延びる側方低剛性領域Ｅが形成されている。側方低剛性領域Ｅは、他の領域より横方向の曲げ剛性の低い領域である。ここでいう「他の領域」は、吸収性コア４における、中高領域（排泄部中高領域４０，後方中高領域５０）以外の領域中の他の領域であり、「横方向の曲げ剛性」は、吸収性コア４の長手方向Ｘに沿って延びる折り曲げ線又は折り曲げ部を生じさせる折り曲げを行った際の曲げに対する抵抗性である。
本実施形態における側方低剛性領域Ｅは、吸収性コア４における排泄部中高領域４０の側端縁より外方の部位に、凹溝を有する側方縦溝部５を設けることによって形成されており、排泄部中高領域４０の側端縁より外方の部位において、他の領域よりも幅方向の曲げ剛性が低くなっている。
【００３４】
側方縦溝部５における凹溝は、吸収性コアの非肌当接面側に形成されていても良いが、本実施形態のナプキン１においては、吸収性コアの肌当接面側に形成されている。
側方低剛性領域Ｅは、側方肉厚部４２の全長Ｌ２に亘るように形成されていることがより好ましい。側方肉厚部の全長に亘るようにとは、側方縦溝部５等の側方低剛性領域Ｅが、吸収性コア４の長手方向における側方肉厚部４２が存在する範囲Ｐに存在し、側方縦溝部５等の側方低剛性領域Ｅの前端５ａが、側方肉厚部４２の前端４２ａと同じ位置又は該位置よりも前方に位置し、側方縦溝部５等の側方低剛性領域Ｅの後端５ｂが、側方肉厚部４２の後端４２ｃと同じ位置又は該位置よりも後方に位置することを意味する。
【００３５】
本実施形態のナプキン１及びその吸収性コア４は、吸収性コア４を幅方向Ｙに２等分する長手方向中心線（図示せず）に対して左右対称に形成されており、側方低剛性領域Ｅは、該長手方向中心線の両側それぞれに形成されている。側方低剛性領域Ｅは、吸収性コア４の幅方向Ｙにおいて、側方肉厚部４２の側端縁４２ｓの位置及び立体ガード１０の固定端２２の位置との間に存在している。側方低剛性領域Ｅが、側方縦溝部５により形成されている場合には、側方縦溝部５は、吸収性コア４の幅方向Ｙにおいて、側方肉厚部４２の側端縁４２ｓの位置及び立体ガード１０の固定端２２の位置の両者から離間している。
【００３６】
また、吸収性コア４は、図６に示すように、側方肉厚部４２の輪郭に沿って該輪郭の外側に形成された輪郭溝部５３を有し、輪郭溝部５３は、縦溝部５３ａ及び該縦溝部の前後端から中央肉厚部に向かって斜めに延びる傾斜溝部５３ｂを有している。そして、側方縦溝部５は、輪郭溝部５３の縦溝部５３ａ部分とは別に形成されている。
【００３７】
側方縦溝部５は、標準吸収領域４３に形成された他の横溝部４３ａや縦溝部４３ｂと同様に、コア材料を標準吸収領域４３の他の部分よりも減らして形成されている。輪郭溝部５３や、中間領域６０に形成された横溝部６１と縦溝部６４も同様である。即ち、吸収性コア４の標準吸収領域４３における溝部（側方縦溝部５、輪郭溝部５３、横溝部６１、縦溝部６４等）を形成している部分は、標準吸収領域４３における他の部分（高坪量部）に比して、コア材料の坪量が相対的に低い低坪量部となっている。本実施形態のナプキン１は、吸収性コア４の肌当接面に、前述した溝部４３ａ，４３ｂ，４４，４６，４７，４９，５１，５，５３，６１，６４が形成されているが、吸収性コア４の非肌当接面側には、それらの溝部によって分断されていない連続層５９が形成されている。
【００３８】
本実施形態のナプキン１によれば、吸収性コア４が、排泄部対向部Ｂに、吸収性コア４の長手方向に長く、幅広である排泄部中高領域４０を有するため、排泄部対向部Ｂにおける液の吸収力及び液の吸収速度が高まり、液漏れの防止となる。
更に、吸収性コア４が、排泄部対向部Ｂに、中央肉厚部４１とその両側に位置する側方肉厚部４２，４２とからなる排泄部中高領域４０を有するため、中央肉厚部４１を有する部分が、着用者の液排泄部にフィットし、液排泄部から排泄された経血等の排泄液が迅速に吸収される。また、ナプキン１をショーツ等の衣類のクロッチ部９１に固定して装着した際に、ナプキン１の身体の前後方向に延びる中心線と、中央肉厚部４１の長手方向に延びる中心線とが一致しない場合であっても、側方肉厚部４２，４２の存在によって、幅方向からの漏れが抑制され易くなるとともに、側方肉厚部４２が着用者の液排泄部の対向部位にしっかりと配される結果、十分な吸収性能が発現され、配置位置のズレによる吸収性能の低下といった不都合が生じ難くなる。
【００３９】
しかも、側方肉厚部４２の側端縁４２ｓと立体ガード１０の固定端２２との間に、側方低剛性領域Ｅを形成する側方縦溝部５が、側方肉厚部４２の全長に亘って形成されているため、ナプキン１を装着する際や着用中に、吸収性コア４は、側方縦溝部５が基点となって非肌当接面側に反るように折れ曲がり易く、それにより、左右の立体ガード１０が、図７に示すように、左右の外側方向に開いた状態となり易い。
そのため、立体ガード１０が、吸収性コア４の幅方向の内側に倒れることによる、横漏れの発生等の不都合を効果的に防止することができる。また、吸収性コア４は、側方縦溝部５が基点となって非肌当接面側に折れ曲がることにより、大腿部の内面へのナプキン１のフィット性や追従性が高まることで身体との間の隙間からの漏れが発生し難くなる。
【００４０】
また、本実施形態のナプキン１においては、排泄部中高領域４０に、吸収性コア４の長手方向Ｘに延びる中央縦溝部４６，４９が形成されており、中央縦溝部４６，４９及び側方縦溝部５が、吸収性コア４の肌当接面側の面に形成されている。そのため、吸収性コア４が側方縦溝部５により剛性が低くなり柔軟に変形するため、一層身体の形状にフィットし易なり、吸収性コアを含む吸収体がヨレにくくなる。
【００４１】
前述した一又は二以上の効果が一層確実に奏されるようにする観点から、ナプキン１は、以下の１又は２以上の構成を有することが好ましい。
中央肉厚部４１は、吸収性コア４の長手方向の全長Ｌｘが、その幅方向の長さＬｙの好ましくは１．５以上、より好ましくは２以上であり、また、好ましくは１５以下、より好ましくは１０以下である。
また、側方肉厚部４２は、吸収性コア４の長手方向Ｘの全長Ｌ２が、排泄部中高領域４０又は中央肉厚部４１の全長Ｌｘの、好ましくは１０％以上、より好ましくは２０％以上であり、また、好ましくは８０％以下、より好ましくは６０％以下であり、また、好ましくは１０％以上８０％以下、より好ましくは２０％以上６０％以下である。側方肉厚部４２は、吸収性物品の前後方向（図中のＸ方向）において、排泄部対向部Ｂの領域に存在する。側方肉厚部４２の前端４２ａは、前方部Ａにあっても良いが、排泄部対向部Ｂに位置することが好ましい。側方肉厚部４２の後端４２ｃは、後方部Ｃにあっても良いが、排泄部対向部Ｂに位置することが好ましい。
【００４２】
また、側方縦溝部５及び側方低剛性領域Ｅは、吸収性コア４の長手方向Ｘにおける全長Ｌ５が、側方肉厚部４２の同方向Ｘの全長Ｌ２の、好ましくは１０％以上、より好ましくは２０％以上であり、更に好ましくは１００％超である。側方低剛性領域Ｅの全長Ｌ５の上限は、吸収性コア４の全長である。
また、側方縦溝部５及び側方低剛性領域Ｅは、吸収性コア４の長手方向Ｘにおける全長Ｌ５が、排泄部中高領域４０又は中央肉厚部４１の全長Ｌｘの、好ましくは５％以上、更に好ましくは１０％以上であり、また好ましくは１００％以下、更に好ましくは８０％以下であり、また好ましくは５％以上１００％以下、更に好ましくは１０％以上８０％以下である。
【００４３】
また、側方縦溝部５及び側方低剛性領域Ｅは、吸収性コア４の長手方向Ｘにおいて、側方肉厚部４２の前端４２ａより前方に延出していることが好ましく、該前端４２ａからの延出する長さＬａは、側方肉厚部４２の全長Ｌ２の、好ましくは１０％以上、更に好ましくは２０％以上である。また、前端４２ａからの延出する長さＬａの上限は、排泄部中高領域４０又は中央肉厚部４１の前端４１ａに達する長さ又はそれ以下であることが好ましい。
また、側方縦溝部５及び側方低剛性領域Ｅは、吸収性コア４の長手方向Ｘにおいて、側方肉厚部４２の後端４２ｃより後方に延出していることが好ましく、該後端４２ｃからの延出する長さＬｂは、側方肉厚部４２の全長Ｌ２の、好ましくは１０％以上、更に好ましくは２０％以上である。また、後端４２ｃからの延出する長さＬｂの上限は、排泄部中高領域４０又は中央肉厚部４１の後端４１ｂに達する長さ又はそれ以下であることが好ましい。
【００４４】
また、側方縦溝部５及び側方低剛性領域Ｅは、立体ガード１０の固定端２２からの離間距離が、好ましくは１．０ｍｍ以上、更に好ましくは２．０ｍｍ以上であり、また好ましくは５．０ｍｍ以下、更に好ましくは４．０ｍｍ以下であり、また好ましくは１．０以上５．０ｍｍ以下、更に好ましくは２．０ｍｍ以上４．０ｍｍ以下である。また、側方縦溝部５及び側方低剛性領域Ｅは、排泄部中高領域４０又は側方肉厚部４２の側端縁４２ｓからの離間距離が、好ましくは１．０ｍｍ以上、更に好ましくは２．０ｍｍ以上であり、また好ましくは１０．０ｍｍ以下、更に好ましくは８．０ｍｍ以下であり、また好ましくは１．０以上１０．０ｍｍ以下、更に好ましくは２．０ｍｍ以上８．０ｍｍ以下である。また、立体ガード１０の固定端２２と排泄部中高領域４０又は側方肉厚部４２の側端縁４２ｓとの間の離間距離は、好ましくは５．０ｍｍ以上、更に好ましくは６．０ｍｍ以上であり、また好ましくは１２．０ｍｍ以下、更に好ましくは１０．０ｍｍ以下であり、また好ましくは５．０ｍｍ以上１２．０ｍｍ以下、更に好ましくは６．０ｍｍ以上１０．０ｍｍ以下である。
【００４５】
また、側方縦溝部５及び側方低剛性領域Ｅの幅、即ち吸収性コア４の幅方向における長さは、好ましくは０．５ｍｍ以上、更に好ましくは１．０ｍｍ以上であり、また好ましくは３．０ｍｍ以下、更に好ましくは２．５ｍｍ以下であり、また好ましくは０．５ｍｍ以上３．０ｍｍ以下、更に好ましくは１．０ｍｍ以上２．５ｍｍ以下である。また、側方縦溝部５の前記幅は、立体ガード１０の固定端２２と側方肉厚部４２の側端縁４２ｓとの間の離間距離の、好ましくは１％以上、更に好ましくは３％以上であり、また好ましくは５０％以下、更に好ましくは３０％以下であり、また好ましくは１％以上５０％以下、更に好ましくは３％以上３０％以下である。
側方縦溝部５を複数設ける場合は、側方縦溝と側方縦溝の間を、好ましくは２．０ｍｍ以上、更に好ましくは５．０ｍｍ以上、離す。
【００４６】
また、本実施形態における側方肉厚部４２は、図６に示すように、吸収性コア４の幅方向Ｙの外方に向かって、該吸収性コア４の長手方向Ｘにおける長さが減少する形状である。より具体的には、吸収性コア４の平面視において略台形状をなしている。
側方肉厚部４２が、吸収性コア４の幅方向Ｙの外方に向かって、該吸収性コア４の長手方向における長さが減少する形状であると、排泄部対向部Ｂの柔軟性を大きく損なうことなく、着用者に違和感を与えにくいとともに、着用中におけるナプキン１のズレによる吸収性能低下を防ぐことができる。
【００４７】
また、本実施形態のナプキン１における立体ガード１０は、図３及び図４に示すように、ナプキン１の幅方向Ｙの外方に向かって折り返された折り返し部２１を有し、該折り返し部２１の直下において前記肌側シートに接合されていない。
これにより、立体ガード１０の固定端２２と自由端２３との間に折り返し部２１を有することで、立体ガード１０がより柔軟に着用者の肌にフィットするようになる。それにより、前後左右の動きに対しても柔軟にフィットしやすくなる。
【００４８】
また、本実施形態のナプキン１は、図３及び図４に示すように、排泄部対向部Ｂに一対のウイング部７，７を有し、立体ガード形成用シート２０は、ウイング部７に延出してウイング部７の片面を形成している。斯かる構成を有すると、ウイング部７を引っ張って、クロッチ部９１等に固定する際に、側方縦溝部５等の縦溝部が肌側にＶ字型に開き易くなるため、立体ガード１０が、外向きに立ち易くなり、一層内側に倒れにくくなる。
【００４９】
本実施形態のナプキン１における吸収性本体６の肌当接面（肌側シート２側の面）には、図１に示すように、肌側シート２及び吸収性コア４が非肌側シート３側に向かって一体的に凹陥してなる圧搾溝１３が形成されており、該圧搾溝１３は、中央肉厚部４１の両外側を吸収性コア４の長手方向Ｘに沿って延びる圧搾縦溝１４と、前方部Ａ及び後方部Ｃにそれぞれ横方向Ｙに延びるように形成された前方圧搾溝１５及び後方圧搾溝１６と、中央肉厚部４１と後方中高領域５０との間の中間領域６０に幅方向Ｙに延びるように形成された中間圧搾横溝１７とを有している。圧搾溝は、熱を伴うか又は伴わない圧搾加工（いわゆるエンボス加工）によって形成されている。圧搾溝においては、肌側シート２と吸収性コア４とが一体化（結合）している。
【００５０】
そして、本実施形態のナプキン１においては、肌側シート２と吸収性コア４とが圧搾一体化された圧搾溝１３としての一対の圧搾縦溝１４，１４が、それぞれ、前述した側方肉厚部４２，４２を、吸収性コア４の長手方向Ｘに縦断するように形成されている。
側方肉厚部４２，４２を、圧搾縦溝１４，１４が縦断していることによって、吸収性コア４の両側部や吸収性本体６の両側部に前述したヨレが一層生じにくくなり、また、中央肉厚部４１に対して着用時に幅方向外側から内側へ向かって加わる力によるヨレや過度な肌への押し付け力の発生を抑制できる。圧搾縦溝１４は、吸収性コア４の長手方向Ｘと完全に平行なものに制限されない。また、中間圧搾横溝１７は、図１に示すように、後方に向かって凸に湾曲した形状であり、中央肉厚部４１は、前後左右に圧搾溝が形成されている。圧搾溝の幅（長さ方向と直交する方向の長さ）及び深さは、この種の吸収性物品における圧搾溝と同様に設定すれば良い。圧搾溝は、溝（凹陥部）の形状が平面視において直線に限られず、曲線を含んでいても良く、また、圧搾溝は、不連続な多数の点エンボスのなす列から構成されていても良い。
【００５１】
他方、圧搾縦溝１４等の圧搾溝１３は、何れも、側方縦溝部５と重なっていない。圧搾溝１３が側方縦溝部５に重ねて形成されていないことにより、側方縦溝部が、肌側に断面Ｖ時型に開きやすくなるため、立体ガード１０が内側に一層倒れ込まなくなり、装着時にも、立体ガード１０が外向きにしっかり起立し固定されるため、ナプキン１にしわが入りにくくなり理想的な装着ができるようになる。
【００５２】
また、本実施形態における吸収性コア４は、その全体が一体成形されている。「一体成形されている」とは、別の工程で製造した部材どうしを接着剤や圧縮などの接合手段で結合したものとは異なり、同一の材料を用いて、一つの工程で一体的に形成されていることを意味する。
【００５３】
上述したナプキン１の吸収性コア４は、図８（ａ）に示すように、外周面に集積用凹部５５を備え、一方向Ｒに回転する積繊ドラム５４と、該積繊ドラム５４の外周面に、コア材料を飛散状態で供給するダクト（図示せず）を備えた積繊装置を用いて製造することができる。
集積用凹部５５は、積繊ドラム５４の外周面の周方向に一定の間隔で複数個形成されている。集積用凹部５５の底面５６は、メッシュプレート等からなり、吸引孔として機能する多数の細孔を有している。
【００５４】
また、図８（ａ）に示すように、集積用凹部５５の底面５６の一部には、排泄部中高領域４０及び後方中高領域５０を形成するための２つの凹部５６ｂ，５６ｃが形成されている。また、凹部５６ｂの底部には、排泄部中高領域４０に溝部４４を形成するための難通気性部材５７及び排泄部中高領域４０に溝部４６，４７，４９を形成するための同様の難通気性部材（図示せず）が配置されている。また、凹部５６ｃの底部には、後方中高領域５０に溝部５１を形成するための難通気性部材５７が配置されている。
また、集積用凹部５５の底面５６の凹部５６ｂ，５６ｃ以外の部分には、溝部４３ａ，４３ｂ，５，５３，６１，６４を形成するための難通気性部材５８が形成されている。難通気性部材５７，５８は、集積用凹部５５の底面から突出するように固定されており、非通気性部材であっても良く、例えば金属やプラスチック、セラミック等からなる。
【００５５】
積繊ドラムを備えた公知の積繊装置と同様に、集積用凹部５５の底面から吸引しつつ、ダクト内に、パルプ繊維等のコア材料を供給することによって、図８（ｂ）に示すように、コア材料が集積用凹部５５内に所定形状に堆積する。その堆積物４００を、集積用凹部５５から離型することで、吸収性コア４が得られる。吸収性コア４は、コアラップシートで被覆する前又は被覆した後、一対のロール間に通すこと等により加圧し適度に圧縮させる。これにより、凹部５６ｂにおける、難通気性部材上に堆積したコア材料からなる部分が、坪量及び密度が相対的に小さい溝部４４，４６，４７，４９となり、該凹部５６ｂにおける難通気性部材を有しない底面上に堆積した部分が、坪量及び密度が相対的に大きい小吸収部４５，４８となる。また、凹部５６ｃにおける、難通気性部材上に堆積したコア材料からなる部分が、坪量及び密度が相対的に小さい溝部５１となり、該凹部５６ｃにおける難通気性部材を有しない底面上に堆積した部分が、坪量及び密度が相対的に大きい小吸収部５２となる。同様に、凹部５６ｂ，５６ｃ以外の部分においては、難通気性部材５８上に堆積したコア材料からなる部分が、坪量及び密度が相対的に小さい溝部４３ａ，４３ｂ，５，５３，６１，６４となり、難通気性部材５８を有しない底面上に堆積した部分が、坪量及び密度が相対的に大きい、標準吸収領域４３の溝部以外の部分となる。吸水性ポリマーを含む吸収性コアを製造する場合、ダクトの途中に吸水性ポリマーの導入部を設けることが好ましい。
【００５６】
肌側シート２、立体ガード形成用シート２０、非肌側シート３としては、当該技術分野において従来用いられてきたものと同様のものを特に制限なく用いることができる。例えば、肌側シート２としては、液透過性を有する不織布や、穿孔フィルムを用いることができる。非肌側シート３としては、合成樹脂製の液不透過性フィルムや、スパンボンド−メルトブローン−スパンボンド積層不織布等の耐水圧が高い撥水性の不織布を用いることができる。また、立体ガード形成用シート２０としては、耐水圧が高い撥水性の不織布、例えば、スパンボンド−メルトブローン−スパンボンド積層不織布等を用いることができる。
【００５７】
次に、本発明の第２実施形態の生理用ナプキンについて説明する。第２実施形態の生理用ナプキンについては、第１実施形態と異なる点について説明し、同様の点については説明を省略する。特に説明しない点については、第１実施形態のナプキン１と同様であり、同様の構成要素には同様の符号を付してある。
第２実施形態の生理用ナプキンの吸収性コア４は、側方縦溝部５Ａを有する側方低剛性領域を備えている。側方縦溝部５Ａは、図９に示すように、その長手方向の一部に、側方肉厚部４２の輪郭に沿って該輪郭の外側に形成された輪郭溝部５３を構成する部分を含んでいる。
詳細には、側方縦溝部５Ａは、第１実施形態における輪郭溝部５３の縦溝部５３ａと、該縦溝部５３ａの前端よりも前方に延出する部分と、該縦溝部５３ａの後端よりも後方に延出する部分とを有し、それらが一直線上に並んで、側方肉厚部４２の全長Ｌ２に亘る長さの側方縦溝部５Ａを形成している。
第２実施形態の生理用ナプキンによっても、第１実施形態のナプキン１と同様の効果が得られる。第１実施形態のナプキン１の構成やより好ましい構成についての説明は、矛盾しない限り、第２実施形態のナプキンにも同様に適用される。
【００５８】
以上、本発明をその好ましい実施形態に基づき説明したが、本発明は前記実施形態に制限されない。
例えば、本発明における排泄部中高領域４０における中央肉厚部４１及び側方肉厚部４２の平面視形状は、図１０（ａ）〜図１０（ｆ）に示すような形状であっても良い。排泄部中高領域４０の全体又は一部を構成する中央肉厚部４１の後端縁４１ｃは、図１０（ａ）に示すように、吸収性コア４の幅方向Ｙに沿う直線状であっても良い。また、後方中高領域５０は、長円形や楕円形であっても良く、後方中高領域５０の前端縁が、排泄部中高領域４０の前端縁と同様に、前方に向かって凸の円弧状に形成されていても良い。また、後方中高領域５０は、存在しなくても良い。
また、長円状又は楕円状の中央肉厚部４１は、図１０（ｂ）に示すように、長手方向の前端縁４１ａと後端縁４１ｃとで曲率半径が異なっていても良い。また、側方肉厚部４２は、図１０（ｃ）に示すように、中央肉厚部４１の側縁に沿う縁部以外の縁部が円弧状に形成されていても良い。また、吸収性コア４は、例えば、図１０（ｄ）に示すように、中央肉厚部４１と側方肉厚部４２との間に縦溝部４９を有しないものであってもよい。その場合、中央肉厚部４１の、吸収性コア４の長手方向に沿う円弧状又は直線状の側縁から延出する部分を側方肉厚部４２とすることができ、また、コア材料の坪量や厚みの変化する部分を、中央肉厚部４１と側方肉厚部４２との間の境界とすることもできる。また、図１０（ｅ）に示すように、側方肉厚部４２は長方形状であっても良い。また、中央肉厚部４１の長手方向Ｘの何れか一方の端部、例えば中央肉厚部４１の前端部に一対の側方肉厚部４２が形成されていても良い〔図１０（ｆ）参照〕。
【００５９】
また、第１及び第２実施形態の側方縦溝部５，５Ａ（側方低剛性領域）は、直線状に形成されていたが、幅方向外方側に凸又は幅方向内方側に向かって凸に湾曲していても良い。また、第１及び第２実施形態の側方縦溝部５，５Ａ（側方低剛性領域）は、前端５ａ及び後端５ｂが、横溝部４３ａと重なっていたが、前端５ａ及び後端５ｂの一方が、横溝部４３ａと重ならない部位に終端していても良い。
また、中央肉厚部４１は、１本又は複数本の中央横溝部４４で前後に分割されている一方、側方肉厚部４２は、中央横溝部４７で前後に分割されていないものであっても良い。また、後方中高領域５０も、後方横溝部５１で前後に分断されていないものであっても良い。
また、中央肉厚部４１は中央縦溝部４６で左右に分割されていなくても良く、後方中高領域５０は、長手方向に沿う縦溝部で左右に分割されていても良い。
また、排泄部中高領域４０は、縦溝部及び横溝部の何れか一方又は双方を有しないものであっても良い。
また、第１及び第２実施形態の生理用ナプキンにおいては、吸収性コア４の排泄部中高領域４０及び後方中高領域５０以外の部分に、側方縦溝部５以外の溝部、即ち、吸収性コアの幅方向に延びる横溝部４３ａ、吸収性コアの長手方向に延びる縦溝部４３ｂ、輪郭溝部５３、中間領域６０の縦溝部６４や横溝部６１等が形成されていたが、それらの一部又は全部をなくすこともできる。
【００６０】
側方肉厚部４２の厚みは中央肉厚部４１と同じでも異なっていても良いが、中央肉厚部４１の厚み以下であることが好ましい。また、側方肉厚部４２は、コア材料の坪量が、中央肉厚部４１と同じでも異なっていても良いが、中央肉厚部４１よりも、コア材料の坪量が、中央肉厚部４１の坪量以下であることが好ましい。
【００６１】
また、吸収性コアは、パルプ繊維等の繊維材料のみからなるものであっても良いし、繊維材料と高吸水性ポリマーとの両者を含むものであっても良い。繊維材料としては、従来、生理用ナプキンやパンティライナー、使い捨ておむつ等の吸収性物品の吸収体に用いられている各種のものを特に制限なく用いることができ、例えば、パルプ繊維、レーヨン繊維、コットン繊維等のセルロース系繊維の短繊維や、ポリエチレン等の合成繊維の短繊維等が用いられる。これらの繊維は、１種を単独で又は２種以上を組み合わせて用いることができる。また、繊維材料は、全体又は一部がパルプ繊維であることが好ましく、繊維材料中のパルプ繊維の割合は５０〜１００質量％であることが好ましく、より好ましくは８０〜１００質量％であり、更に好ましくは１００質量％である。なお、吸収性コアには、高吸水性ポリマー以外に、消臭剤や抗菌剤等を必要に応じて配合しても良い。
【００６２】
また、本発明における吸収性コアは、圧搾縦溝１４、前方圧搾溝１５、後方圧搾溝１６及び中間圧搾横溝１７の何れか１以上を有しないものであっても良い。
また、排泄部中高領域は、厚みの均一な大型の吸収性構造体の一部に、別に製造した小型の吸収性構造体を積層して形成されていても良い。
また、第１及び第２実施形態の生理用ナプキンにおける吸収性コアは、中央縦溝部４６、側方縦溝部５等の溝部が、吸収性コアの上面側（肌側シート側）に開口しているものであったが、本発明における吸収性コアは、中央縦溝部４６、側方縦溝部５等の溝部が、吸収性コアの下面側（非肌側シート側）に開口しているものであっても良い。
【００６３】
また、肌当接面側に配置された肌側シートは、少なくとも吸収性物品の幅方向中央部に配される部分が、着用者の肌側に向けられる吸収性物品の吸液面を形成する、いわゆる表面シートと呼ばれる液透過性のシートであっても良いが、本発明における立体ガードの固定端は、立体ガード形成用シートが表面シート以外の肌側シートに固定されて形成されていても良い。表面シート以外の肌側シートとしては、ウイング部を形成するシート、コアラップシート等が挙げられる。
【００６４】
また、本発明の吸収性物品は、生理用ナプキンの他、パンティライナー（おりものシート）、失禁パッド、使い捨ておむつ等の他の吸収性物品であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【実施例】
【００６５】
（実施例）
パルプ繊維及び高吸水性ポリマーの混合積繊体から形成した図２及び図５に示す形態の吸収性コアを、下記材料からなる肌側シートと非肌側シートとの間に配置した生理用ナプキンを製作した。そのナプキンは、吸収性コアに、排泄部中高領域及び、後方中高領域、中央縦溝部等の溝部、側方縦溝部が、吸収性コアの肌側シート側に開口するように設けられており、排泄部中高領域を挟む両側には、一対の立体ガードを備えている。
肌側シート：坪量３０ｇ／ｍ2のエアスルー不織布
非肌側シート：坪量２５ｇ／ｍ2の非透湿ポリエチレン製フィルム
側方肉厚部は、吸収性コアの長手方向Ｘにおける全長Ｌ２が、排泄部中高領域の全長Ｌｘの３０％であり、側方縦溝部は、吸収性コアの長手方向Ｘにおける全長Ｌ５が、排泄部中高領域の全長Ｌｘの５０％であった。側方縦溝部の幅は２．０ｍｍとした。
（比較例）
吸収性コアに側方縦溝部を形成しない以外は、実施例のナプキンと同様の構成を有する生理用ナプキンを用意した。
【００６６】
（評価）
得られた生理用ナプキンについて、側方肉厚部の側端縁より外側の領域から、長さ２００mm、幅３０mmの試験片を切り出し、温度２３℃、湿度５０％の試験室に２４時間保存した後、測定用サンプルとし、同環境条件にて、ハンドルオメータ法（JIS L-1096）に準じて剛性値を測定した。
ハンドルオメーターは、大栄科学精器製作所製の型式：ＨＯＭ−２００を用い、測定用サンプルを、非肌側シート側を下側に向け且つナプキンの長手方向に対応する試験片の長手方向が幅１５ｍｍのスロットと直角になるように試料台上に配置し、ペネトレーターのブレードを、２００ｍｍ／ｍｉｎの一定速度で下降させ、指示計（荷重計）が示す最高値を読み取った。
【００６７】
その結果（各５枚の試験片の測定結果の平均値）を、以下に示す。
実施例：剛性値    ５０ｇｆ（０．４９Ｎ）
比較例：剛性値  １４０ｇｆ（１．３７Ｎ）
【００６８】
以上の結果から明らかなように、実施例の生理用ナプキンは、比較例より低い剛性値を示している。すなわち、剛性が低くなることで柔軟に変形するため、一層身体の形状にフィットし易くなる。さらに、実際の製品においては、側方縦溝部が基点となり非肌当接面側に反るように折れ曲がり易く、左右の立体ガードが、左右の外側方向に開いた状態となり易い。そのため、立体ガードが内側に倒れることによる、横漏れの発生等の不都合を効果的に防止することができる。
【符号の説明】
【００６９】
１  生理用ナプキン（吸収性物品）
２  肌側シート
３  非肌側シート
４  吸収性コア
４０  排泄部中高領域
４１  中央肉厚部
４４  中央横溝部
４６  中央縦溝部
４５  小吸収部
４２  側方肉厚部
４７  中央横溝部
５０  後方中高領域
５１  後方横溝部
５２  小吸収部
４３  標準吸収領域
Ｅ  側方低剛性領域
５，５Ａ  側方縦溝部
６０  中間領域
６  吸収性本体
７  ウイング部
８  後方フラップ部
１０  立体ガード
２０  立体ガード形成用シート
２１  折り返し部
２２  固定端
２３  自由端
１１  前方隆起部（隆起部）
１２  後方隆起部（隆起部）
１３  圧搾溝
【図１】
0006563672.tif 000002
【図２】
0006563672.tif 000003
【図３】
0006563672.tif 000004
【図４】
0006563672.tif 000005
【図５】
0006563672.tif 000006
【図６】
0006563672.tif 000007
【図７】
0006563672.tif 000008
【図８】
0006563672.tif 000009
【図９】
0006563672.tif 000010
【図１０】
0006563672.tif 000011